(57)【要約】【課題】構造が比較的簡単で、大径、小径２種類のカップを安定して保持することができ、かつ、見栄えの良いカップホルダーを提供すること。【解決手段】外径が異なる２種類のカップである大径カップと小径カップを安定的に保持可能なカップホルダー１である。カップを挿入するための凹部１０と、凹部１０の上方の開口部を覆う蓋部２とを有する。蓋部２は、第１ドア２１と第２ドア２２とに分割されており、これらは、両者の分割位置に位置する分割端部２１１、２２１が互いに相手から離れる方向に開くよう構成されている。第１ドア２１と第２ドア２２の両方を開くことによって、大径カップに対応する大径開口状態となるよう開口部を開放することができ、第２ドア２２を閉じたまま第１ドア２１のみを開くことによって、小径カップに対応する小径開口状態Ｓ２となるよう開口部を開放することができる。【選択図】図２
2010280306.tif 000002
【特許請求の範囲】
【請求項１】
外径が異なる２種類のカップである大径カップと小径カップを安定的に保持可能なカップホルダーであって、
カップを挿入するための凹部と、該凹部の上方の開口部を覆う蓋部とを有し、
該蓋部は、第１ドアと第２ドアとに分割されており、これらは、両者の分割位置に位置する分割端部が互いに相手から離れる方向に開くよう構成されており、
上記第１ドアと上記第２ドアの両方を開くことによって、上記大径カップに対応する大径開口状態となるよう上記開口部を開放することができ、
上記第２ドアを閉じたまま上記第１ドアのみを開くことによって、上記小径カップに対応する小径開口状態となるよう上記開口部を開放することができることを特徴とするカップホルダー。
【請求項２】
請求項１において、上記第１ドアは、上記開口部を覆っている閉じた状態から上記分割端部を上方へ回動させることによって開くよう構成されており、かつ、上記第１ドアの裏側面には、開いた状態において上方からみて円弧状となる第１ガイド部を有していることを特徴とするカップホルダー。
【請求項３】
請求項１又は２において、上記第２ドアは、上記開口部を覆っている閉じた状態から上記分割端部を上方へ回動させることによって開くよう構成されており、かつ、上記第２ドアの裏側面には、開いた状態において上方からみて円弧状となる第２ガイド部を有していることを特徴とするカップホルダー。
【請求項４】
請求項１〜３のいずれか１項において、上記第２ドアの上記分割端部には、上記開口部を覆っている閉じた状態において上方からみて円弧状に窪んだ窪み部を有することを特徴とするカップホルダー。
【請求項５】
請求項１〜４のいずれか１項において、上記第２ドアは、上記開口部を覆っている閉じた状態から、上記分割端部を上記凹部の内方に向けて回動可能であり、かつ、弾性手段によって閉じた状態に戻るよう付勢されていることを特徴とするカップホルダー。
【発明の詳細な説明】
【技術分野】
【０００１】
本発明は、車両に搭載されるカップホルダーに関する。
【背景技術】
【０００２】
車両の車室内には、乗員が使用する飲料用のカップを保持するためのカップホルダーが設置されている。従来のカップホルダーは、カップを挿入するための凹部を備え、その凹部の開口部をそのまま開放した状態にしたタイプと、開閉可能な蓋部を凹部の開口部に被せたタイプのものなどがある。
蓋部を設けたカップホルダーとしては、例えば特許文献１、２に記載のものがある。
【先行技術文献】
【特許文献】
【０００３】
【特許文献１】特開２００６−１３５５号公報
【特許文献２】特開平１０−２９７３３８号公報
【発明の概要】
【発明が解決しようとする課題】
【０００４】
ところで、飲料用のカップとしては、その外径について大まかに２種類に別けることができる。比較的外径の大きい大径カップとしては、北米で主流となっているＬカップと呼ばれるものである。一方、比較的外径の小さい小径カップとしては、広く流通している３５０ｍｌ缶などがある。
【０００５】
カップホルダーは、これらの外径の異なる複数種類のカップを保持できるように、その凹部の内径を最も大きい外径のカップを収容できる大きさにする必要がある。そのため、大径カップをカップホルダーに保持させた場合には、比較的安定して保持することができるが、小径カップの場合には、その外径と凹部の内径との寸法差が大きすぎ、保持安定性がどうしても低下してしまう。
【０００６】
これに対して、これまで上記特許文献１、２等に記載された構造のものなど、様々な構造のカップホルダーが提案されてきた。しかしながら、いずれの構造も、比較的構造が複雑で低コスト化が難しい。
本発明は、かかる問題点に鑑みてなされたものであって、構造が比較的簡単で、大径、小径２種類のカップを安定して保持することができ、かつ、見栄えの良いカップホルダーを提供しようとするものである。
【課題を解決するための手段】
【０００７】
本発明は、外径が異なる２種類のカップである大径カップと小径カップを安定的に保持可能なカップホルダーであって、
カップを挿入するための凹部と、該凹部の上方の開口部を覆う蓋部とを有し、
該蓋部は、第１ドアと第２ドアとに分割されており、これらは、両者の分割位置に位置する分割端部が互いに相手から離れる方向に開くよう構成されており、
上記第１ドアと上記第２ドアの両方を開くことによって、上記大径カップに対応する大径開口状態となるよう上記開口部を開放することができ、
上記第２ドアを閉じたまま上記第１ドアのみを開くことによって、上記小径カップに対応する小径開口状態となるよう上記開口部を開放することができることを特徴とするカップホルダーにある（請求項１）。
【発明の効果】
【０００８】
本発明のカップホルダーは、上記のごとく、凹部の開口部を覆う蓋部を、上記第１ドアと第２ドアの２つのドアによって構成してある。また、これら２つのドアは、上記分割端部が互いに相手から離れる方向に開くよう構成されている。ここで注目すべきことは、上記第１ドアと上記第２ドアの両方を開くことによって、上記大径カップに対応する大きさの開口状態である大径開口状態となるよう上記開口部を開放することができ、かつ、上記第２ドアを閉じたまま上記第１ドアのみを開くことによって、上記小径カップに対応する大きさの開口状態である小径開口状態となるよう上記開口部を開放することができるように構成したことである。
【０００９】
これにより、例えば米国で流通しているＬカップといわれる大径カップを上記カップホルダーに保持させたい場合には、上記第１ドアと第２ドアの両方を開くことにより上記大径開口状態とする。これにより、上記カップホルダーは、上記大径カップを適切に支持できる状態となる。
また、例えば３５０ｍｌ缶のような小径カップを上記カップホルダーに保持させたい場合には、上記第２ドアを閉じたまま第１ドアのみを開くことにより上記小径開口状態とする。これにより、上記カップホルダーは、上記小径カップの側面を適切に支持できる状態となる。
【００１０】
そして、上記大径開口状態と小径開口状態との切り替えを、上記第１ドアと上記第２ドアの両方を開くか、第１ドアのみを開くかの切り替えだけで行うことができ、構造的に非常に簡単である。また、カップホルダーを使用しない場合には、上記凹部の開口部を上記第１ドア及び上記第２ドアによって覆うことができ、また、上記小径カップを保持させた場合には余分な凹部の開口部分を上記第２ドアによって覆ったままとすることができ、外観上の見栄えもよい。
【００１１】
したがって、本発明によれば、構造が比較的簡単で、大径、小径２種類のカップを安定して保持することができ、かつ、見栄えの良いカップホルダーを提供することができる。
【図面の簡単な説明】
【００１２】
【図１】実施例１における、カップホルダーの蓋を閉じた状態を示す斜視図。
【図２】実施例１における、カップホルダーの第１ドアのみを開けた状態を示す斜視図。
【図３】実施例１における、カップホルダーの第１ドアと第２ドアの両方を開けた状態を示す斜視図。
【図４】実施例１における、蓋を閉じた状態を上方から見た説明図（図１のＡ−Ａ線矢視断面図）。
【図５】実施例１における、第１ドアのみを開けた状態を上方から見た説明図（図２のＡ−Ａ線矢視断面図）
【図６】実施例１における、第１ドアと第２ドアの両方を開けた状態を上方から見た説明図（図３のＡ−Ａ線矢視断面図）
【図７】実施例１における、蓋を閉じた状態を側方から見た説明図（図１のＢ−Ｂ線矢視断面図）。
【図８】実施例１における、第１ドアのみを開けた状態を側方から見た説明図（図２のＢ−Ｂ線矢視断面図）。
【図９】実施例１における、第１ドアと第２ドアの両方を開けた状態を側方から見た説明図（図３のＢ−Ｂ線矢視断面図）。
【図１０】実施例２における、カップホルダーの蓋を閉じた状態を示す斜視図。
【図１１】実施例２における、蓋を閉じた状態を側方から見た説明図（図１０のＣ−Ｃ線矢視断面図）。
【図１２】実施例２における、第２ドアを内方へ押し込んだ状態を示す説明図。
【図１３】実施例２における、第１ドアを上方へ引き上げて開いた状態を示す説明図。
【図１４】実施例２における、第２ドアを下方へ押し下げて開いた状態を示す説明図。
【発明を実施するための形態】
【００１３】
本発明のカップホルダーにおいて、上記蓋部を構成する上記第１ドアと第２ドアとは、上述したごとく、上記分割端部が互いに相手から離れる方向に開くよう構成されている。具体的には、第１ドアと第２ドアの両方の分割端部が上方へ向くように開く（いわゆる観音開きとなる）か、第１ドアと第２ドアの一方の分割端部が上方へ向き、他方が下方へ向いて開くか、あるいは、第１ドアと第２ドアの両方の分割端部が下方へ向くように開くかのいずれかの構成を取ることができる。これらの構成のうち、上記第１ドアと第２ドアの両方の分割端部が上方へ向くように開くいわゆる観音開き構成が最も構造上簡単である。
【００１４】
そして、上記第１ドアは、上記開口部を覆っている閉じた状態から上記分割端部を上方へ回動させることによって開くよう構成されており、かつ、上記第１ドアの裏側面には、開いた状態において上方からみて円弧状となる第１ガイド部を有していることが好ましい（請求項２）。
これにより、上記大径カップあるいは小径カップのいずれを保持する場合においても、上記第１ドアの裏側面に形成した上記円弧状の第１ガイド部の存在によって、より安定した保持状態を得ることができる。
【００１５】
また、上記第２ドアは、上記開口部を覆っている閉じた状態から上記分割端部を上方へ回動させることによって開くよう構成されており、かつ、上記第２ドアの裏側面には、開いた状態において上方からみて円弧状となる第２ガイド部を有していることが好ましい（請求項３）。
これにより、上記大径カップを保持する場合において、上記第２ドアの裏側面に形成した上記円弧状の第２ガイド部の存在によって、より安定した保持状態を得ることができる。この場合、上記第１ドアの開閉方向及び上記第１ガイド部の具備は必須ではないが、上記第１ガイド部と共に第２ガイド部を備えることによって、大径カップを保持する際の開口部形状が円形に近づき、保持安定性をより一層高めることができる。
【００１６】
また、上記第２ドアの上記分割端部には、上記開口部を覆っている閉じた状態において上方からみて円弧状に窪んだ窪み部を有することが好ましい（請求項４）。
これにより、上記小径カップを保持する場合において、上記第２ドアの上記窪み部の存在によって、より安定した保持状態を得ることができる。そして、この場合にも、上記第１ドアの開閉方向及び上記第１ガイド部の具備は必須ではないが、上記第１ガイド部と共に上記窪み部を備えることによって、小径カップを保持する際の開口部形状が円形に近づき、保持安定性をより一層高めることができる。
【００１７】
また、上記第２ドアは、上記開口部を覆っている閉じた状態から、上記分割端部を上記凹部の内方に向けて回動可能であり、かつ、弾性手段によって閉じた状態に戻るよう付勢されていることが好ましい（請求項５）。
この場合には、乗員が上記第１ドアを上方へ開く動作を行う場合に、その指を、上記第２ドアを下方に押し下げることによって第１ドアの裏側まで差し込むことができ、第１ドアの引き上げを容易に行うことができる。
【実施例】
【００１８】
（実施例１）
本発明の実施例にかかるカップホルダーにつき、図１〜図９を用いて説明する。
本例のカップホルダー１は、図１〜図３に示すごとく、外径が異なる２種類のカップである大径カップ８１（図９）と小径カップ８２（図８）を安定的に保持可能なカップホルダーである。
カップホルダー１は、カップを挿入するための凹部１０と、該凹部１０の上方の開口部を覆う蓋部２とを有する。
【００１９】
蓋部２は、第１ドア２１と第２ドア２２とに分割されており、これらは、両者の分割位置に位置する分割端部２１１、２２１が互いに相手から離れる方向に開くよう構成されている。
図３、図６、図９に示すごとく、第１ドア２１と第２ドア２２の両方を開くことによって、大径カップ８１に対応する大径開口状態Ｓ１となるよう開口部を開放することができ、図２、図５、図７に示すごとく、第２ドア２２を閉じたまま第１ドア２１のみを開くことによって、小径カップ８２に対応する小径開口状態Ｓ２となるよう開口部を開放することができるように構成されている。
【００２０】
以下、さらに詳説する。
カップホルダー１は、上記凹部１０を設けたハウジング部１１と、これに開閉可能に配設した第１ドア２１及び第２ドア２２よりなる蓋部２とから構成されている。
ハウジング部１１は、上方を開放した箱形形状を有しており、その内部が凹部１０である。また、ハウジング部１１の側面は、軽量化のため所々くりぬいた構造としてある。
【００２１】
また、ハウジング部１１は、その外周面に複数のブラケット部１８、１９等を有し、これを介して図示しない車両のコンソールに組み付け可能となっている。
また、ハウジング部１１には、２組の軸受け部１２、１３が設けられている。軸受け部１２には、第１ドア２１の回転中心Ｃ１となる軸部２１４が係合しており、軸受け部１３には、第２ドア２２の回転中心Ｃ２となる軸部２２４が係合している。また、第１ドア２１には、ハウジング部１１に固定されたスプリング１７が係合している。スプリング１７は、第１ドア２１がおよそ４５°回転した点で付勢力が生じる方向が切り替わり、それよりも閉じた状態に近い場合には閉じた状態となる方向に、開いた状態に近い場合には開いた状態となる方向に付勢力が働くように構成されている。そのため、このスプリング１７の付勢力によって、第１ドア２１は、水平状態と、分割端部２１１を最上点まで上げた開位置において停止可能になっている。
【００２２】
第１ドア２１は、図１、図４に示すごとく、第２ドア２２よりも上記開口部を覆う面積が大きくなるよう構成してある。また、第１ドア２１は、分割端部２１１の中央に、第２ドア２２側に向けて円弧状に突出した突出部２１２を有している。突出部２１２は、厚み方向においても表面側に突出しており、第１ドア２１と第２ドア２２とを閉じた状態において、第１ドア２１の突出部２１２が上方に突出した状態となっている。
【００２３】
また、第１ドア２１は、図１、図２に示すごとく、開口部を覆っている閉じた状態（図１）から分割端部２１１を上方へ回動させることによって開くよう構成されている。また、図２、図５に示すごとく、第１ドア２１は、その裏側面に、開いた状態において上方からみて円弧状となる第１ガイド部２１５を有している。この第１ガイド部２１５の円弧は、大径カップの外径に対応して設定してある。
【００２４】
第２ドア２２は、図１、図３に示すごとく、開口部を覆っている閉じた状態（図１）から分割端部２２１を上方へ回動させることによって開くよう構成されている。また、図３、図６に示すごとく、第２ドア２２は、その裏側面に、開いた状態において上方からみて円弧状となる第２ガイド部２２５を有している。この第２ガイド部２２５の円弧も、大径カップの外径に対応して設定してある。
【００２５】
また、第２ドア２２は、図１、図２、図４、図５に示すごとく、その分割端部２２１に、開口部を覆っている閉じた状態において上方からみて円弧状に窪んだ窪み部２２６を有する。この窪み部２２６は、第１ドア２１における上記突出部２１２の円弧形状に対応して設けられており、かつ、小径カップの外径に対応して設定してある。
【００２６】
そして、上記構成とすることにより、本例のカップホルダー１は、図１、図４、図７に示すごとく、第１ドア２１と第２ドア２２の両方を閉じた状態においては、カップホルダー１の凹部１０が十分に覆われて外観上の見栄えが良好となる。
また、カップホルダー１は、図２、図５、図８に示すごとく、第２ドア２２を閉じたまま、第１ドア２１のみを開くことによって、第１ドア２１の第１ガイド部２１５と第２ドア２２の窪み部２２６とが、小径カップ８１の外周面との間に適度なクリアランスを保てる大きさとなって小径開口状態Ｓ２が実現できる。これにより、カップホルダー１は、小径カップ８１を安定的に保持できるようになる。
【００２７】
さらに、カップホルダー１は、図３、図６、図９に示すごとく、第１ドア２１と第２ドア２２の両方を開くことによって、第１ドア２１の第１ガイド部２１５と第２ドア２２の第２ガイド部２２５とが、小径カップ８１の外周面との間に適度なクリアランスを保てる大きさとなって大径開口状態Ｓ１が実現できる。これにより、カップホルダー１は、大径カップ８２を安定的に保持できるようになる。
【００２８】
以上のように、本例によれば、構造が比較的簡単で、大径、小径２種類のカップを安定して保持することができ、かつ、見栄えの良いカップホルダー１を提供することができる。なお、大径カップ８２と小径カップ８１との間の大きさのカップを保持する場合には、大径開口状態Ｓ１において対応でき、小径カップ８１よりも小さい大きさのカップを保持する場合には、上記小径開口状態Ｓ２において対応できることは言うまでもない。
【００２９】
（実施例２）
本例のカップホルダー３は、図１０〜図１４に示すごとく、カップを挿入するための凹部３０（図１１）と、該凹部３０の上方の開口部を覆う蓋部４とを有する。
蓋部４は、第１ドア４１と第２ドア４２とに分割されており、これらは、両者の分割位置に位置する分割端部４１１、４２１が互いに相手から離れる方向に開くよう構成されている。
【００３０】
第１ドア４１は、図１０、図１１に示すごとく、第２ドア４２よりも上記開口部を覆う面積が大きくなるよう構成してある。また、第２ドア４２は、分割端部４１１の中央に、第２ドア４２側に向けて円弧状に突出した突出部４１２を有している。実施例１とは異なり、突出部４１２は、厚み方向において表面側の面と面一な状態で突出しておらず、第１ドア４１と第２ドア４２とを閉じた状態において、これらの全体が面一な状態となるように構成されている。
【００３１】
また、第１ドア４１は、図１１、図１２に示すごとく、開口部を覆っている閉じた状態（図１１）から、回転中心Ｃ３を中心にして、分割端部４１１を上方へ回動させることによって開くよう構成されている。また、実施例１と同様に、第１ドア４１は、その裏側面に、開いた状態において上方からみて円弧状となる第１ガイド部（図示略）を有している。
【００３２】
第２ドア４２は、図１１、図１２、図１４に示すごとく、開口部を覆っている閉じた状態から、回転中心Ｃ４を中心にして、分割端部４２１を下方へ回動させることによって開くよう構成されている。また、第２ドア４２には、ハウジング部３１に固定された弾性部材としてのスプリング（図示略）が係合している。スプリングは、およそ第２ドア４２がおよそ４５°回転した点で付勢力が生じる方向が切り替わり、それよりも閉じた状態に近い場合には閉じた状態となる方向に、開いた状態に近い場合には開いた状態となる方向に付勢力が働くように構成されている。そのため、このスプリング４９の付勢力によって、第２ドア４２は、水平状態（図１１）と、分割端部４２１を最下点まで下げた開位置（図１４）において停止可能になっている。
【００３３】
また、第２ドア４２は、図１０に示すごとく、その分割端部４２１に、開口部を覆っている閉じた状態において上方からみて円弧状に窪んだ窪み部４２６を有する。この窪み部４２６は、第１ドア４１における突出部４１２の円弧形状に対応して設けられており、かつ、小径カップの外径に対応して設定してある。なお、この窪み部４２６を設けない構成とすることも可能である。
【００３４】
その他の構成は、実施例と同様である。
本例の場合には、図１２に示すごとく、上記第２ドア４２の可動特性を利用して、分割端部４２１が下方に向くように開けることが可能であり、これにより、乗員の指８を第１ドア４１の下方に潜り込ませることができる。そのため、実施例１のような突出部２１２を厚み方向に突出させていなくても、容易に第１ドア４１の開動作を行うことができる。
【００３５】
また、図１３に示すごとく、図１２の状態から第１ドア４１を開く動作のみを行った場合には、第２ドア４２は、スプリング４９の付勢力によって、もとの閉状態に戻る。これにより、第１ドア４１のみが開いた小径開口状態Ｓ２が得られる。
また、図１４に示すごとく、図１１の状態から、第２ドア４２を押し下げて開くことによって、第１ドア４１と第２ドア４２とが開いた大径開口状態Ｓ１が得られる。
その他は、実施例１と同様の作用効果が得られる。
なお、本例の第２ドア４２については、下方に押し込む動作を可能としながら、分割端部４２２を上方に向けて開くよう構成することも可能である。
【符号の説明】
【００３６】
１、３  カップホルダー
１０、３０  凹部
１１、３１  ハウジング部
２、４  蓋部
２１、４１  第１ドア
２２、４２  第２ドア
２１１、２２１、４１１、４２１  分割端部
【図１】
2010280306.tif 000003
【図２】
2010280306.tif 000004
【図３】
2010280306.tif 000005
【図４】
2010280306.tif 000006
【図５】
2010280306.tif 000007
【図６】
2010280306.tif 000008
【図７】
2010280306.tif 000009
【図８】
2010280306.tif 000010
【図９】
2010280306.tif 000011
【図１０】
2010280306.tif 000012
【図１１】
2010280306.tif 000013
【図１２】
2010280306.tif 000014
【図１３】
2010280306.tif 000015
【図１４】
2010280306.tif 000016